(57)【要約】【課題】  立地条件に左右されずに設置が可能であるとともに、施工費を安く抑えることができる風力発電設備及び風力発電設備の構築方法を提供する。【解決手段】  所定の間隔をおいて設置される２つ塔体２、２と、両塔体２、２の頂部に設置される発電機架台６と、発電機架台６の上部に搭載される発電機７と、発電機７に取り付けられる複数の翼１０とを備える。両塔体２、２の頂部に揚重機架台を介して揚重機１１を設置し、揚重機１１に取り付けた吊材１２に発電機架台６を連結し、揚重機１１の作動により吊材１２を介して発電機架台６、発電機７及び翼１０を一体として揚重し、両塔体２、２間を通して両塔体２、２の頂部に位置決めし、発電機架台６を両塔体２、２の頂部に固定する。【選択図】        図１４
2006299956.tif 000002
【特許請求の範囲】
【請求項１】
所定の間隔をおいて設置される少なくとも２つの塔体と、該塔体の頂部に設置されるとともに、少なくとも一部が前記塔体間を通過可能な幅に形成される発電機架台と、該発電機架台の上部に搭載される発電機と、該発電機に取り付けられる複数の翼とを備えてなることを特徴とする風力発電設備。
【請求項２】
風力発電設備の設置箇所に、少なくとも２つの塔体を所定の工法により所定の間隔をおいて設置する塔体設置工程と、
前記塔体の頂部又は地上部に揚重機を設置する揚重機設置工程と、
少なくとも一部が前記塔体間を通過可能な幅に形成される発電機架台に発電機を搭載するとともに、発電機に複数の翼を取り付ける発電機組立工程と、
前記揚重機により前記発電機架台を介して前記発電機及び翼を揚重し、前記塔体間を所定の高さまで揚重し、残りの翼を発電機に取り付ける第１揚重工程と、
発電機架台と発電機と翼とを一体として、前記塔体の頂部まで揚重する第２揚重工程と、
前記発電機架台を前記塔体の頂部に固定する発電機架台取付け工程と、
前記揚重機を撤去する揚重機撤去工程とを備えてなることを特徴とする風力発電設備の構築方法。
【請求項３】
前記揚重機は、前記少なくとも２つの塔体の頂部に揚重機架台を介して撤去可能に設置され、該揚重機に移動可能に取り付けられる吊材により、前記発電機架台を介して前記発電機及び前記翼が揚重されることを特徴とする請求項２に記載の風力発電設備の構築方法。
【請求項４】
前記揚重機は、前記地上部に撤去可能に設置され、該揚重機と前記少なくとも２つの塔体の頂部に滑車架台を介して撤去可能に設置される滑車との間に移動可能に掛け渡される吊材により、前記発電機架台を介して前記発電機及び前記翼が揚重されることを特徴とする請求項２に記載の風力発電設備の構築方法。
【発明の詳細な説明】
【技術分野】
【０００１】
本発明は、風力発電設備及び風力発電設備の構築方法に関し、特に、立地条件に左右されることなく、安価に構築することができる風力発電設備及び風力発電設備の構築方法に関する。
【背景技術】
【０００２】
従来、自然の風のエネルギーを利用して発電する風力発電設備として、１つの塔体と、塔体の頂部に設置される発電機架台と、発電機架台の上部に搭載される発電機と、発電機に取り付けられる複数の翼とを備えたものが知られている。
【０００３】
このような構成の風力発電設備は、山間部や海岸線等の設置箇所に、６０〜１００ｍの鋼管構造、鉄骨トラス構造、鉄筋コンクリート構造、プレストレストコンクリート構造等の塔体を構築し、地上部において発電機に複数の翼を取り付け、大型クレーンを用いて発電機と翼とを一体として揚重し、塔体の頂部の所定の位置に位置決めし、発電機を塔体の頂部に固定することにより発電機及び翼を塔体に取り付けている。
【０００４】
しかし、上記のような構成の風力発電設備にあっては、発電機を塔体の頂部に吊り上げる場合に、その重量が非常に重い（４０〜６０ｔ）ため、大型クレーンを使用しなければならない。
【０００５】
このため、大型クレーンを搬入することができない場所では風力発電設備を構築することができず、立地条件が制限されてしまう。また、大型クレーンを搬入することができる場所でも、大型クレーンの使用料が非常に高くつくため、施工費が高くついてしまう。
【０００６】
一方、上記のような問題に対処するため、塔体全体を囲むガイドタワーを設置し、ガイドタワーに揚重機（リフトアップ装置）を設置し、揚重機（リフトアップ装置）により発電機及び翼を揚重して、塔体の頂部に取り付けるように構成した風力発電設備の構築方法が提案されている（例えば、特許文献１参照。）。
【特許文献１】特開２００２−２４２４８３号公報
【発明の開示】
【発明が解決しようとする課題】
【０００７】
しかし、このような構成の風力発電設備の構築方法にあっては、大型クレーンを使用する必要はないものの、大掛かりなガイドタワーが必要になるとともに、複雑な機構の揚重機（リフトアップ装置）が必要になり、設備費が高くつき、組立て、解体作業に手間がかかり、全体としての施工費が高くついてしまう。
【０００８】
本発明は、上記のような従来の問題に鑑みなされたものであって、立地条件に左右されることなく、山間部や海岸線等の十分な風力エネルギーが得られる場所に設置することができるとともに、大型クレーンを使用することなく簡単な設備で発電機及び翼を塔体の頂部に取り付けることができ、これにより、施工費を大幅に低減させることのできる風力発電設備及び風力発電設備の構築方法を提供することを目的とする。
【課題を解決するための手段】
【０００９】
上記のような課題を解決するために、本発明は、以下のような手段を採用している。
すなわち、請求項１に係る発明は、所定の間隔をおいて設置される少なくとも２つの塔体と、該塔体の頂部に設置されるとともに、少なくとも一部が前記塔体間を通過可能な幅に形成される発電機架台と、該発電機架台の上部に搭載される発電機と、該発電機に取り付けられる複数の翼とを備えてなることを特徴とする。
【００１０】
本発明による風力発電設備によれば、１つの塔体によって発電機及び翼を支持する場合に比べて、各塔体の重量を軽くすることができるので、塔体の設置に大型のクレーンが不要となる。また、発電機架台の少なくとも一部は塔体間を通過可能な幅に形成されているので、塔体間を介して発電機架台、発電機及び翼を揚重し、塔体の頂部に設置することができ、発電機架台、発電機及び翼の設置に大型のクレーンが不要となる。
【００１１】
請求項２に係る発明は、風力発電設備の設置箇所に、少なくとも２つの塔体を所定の工法により所定の間隔をおいて設置する塔体設置工程と、前記塔体の頂部又は地上部に揚重機を設置する揚重機設置工程と、少なくとも一部が前記塔体間を通過可能な幅に形成される発電機架台に発電機を搭載するとともに、発電機に複数の翼を取り付ける発電機組立工程と、前記揚重機により前記発電機架台を介して前記発電機及び翼を揚重し、前記塔体間を所定の高さまで揚重し、残りの翼を発電機に取り付ける第１揚重工程と、発電機架台と発電機と翼とを一体として、前記塔体の頂部まで揚重する第２揚重工程と、前記発電機架台を前記塔体の頂部に固定する発電機架台取付け工程と、前記揚重機を撤去する揚重機撤去工程とを備えてなることを特徴とする。
【００１２】
本発明による風力発電設備の構築方法によれば、塔体設置工程において、所定の工法により少なくとも２つの塔体を所定の間隔をおいて設置し、揚重機設置工程において、揚重機を塔体の頂部又は地上部に設置し、発電機組立工程において、発電機架台に発電機を搭載し、発電機に複数の翼を取り付け、第１揚重工程において、発電機架台を介して発電機及び翼を揚重し、塔体間を所定の高さまで揚重し、その位置において発電機に残りの翼を取り付け、第２揚重工程において、発電機架台と発電機と翼とを一体として塔体間を揚重して塔体の頂部に位置決めし、発電機架台取付け工程において、発電機架台を塔体の頂部に固定し、揚重機撤去工程において、揚重機を解体して塔体の頂部又は地上部から撤去することにより、風力発電設備を構築することができる。従って、風力発電設備の構築に大型のクレーンを用いる必要がなくなる。
【００１３】
請求項３に係る発明は、請求項２に記載の風力発電設備の構築方法であって、前記揚重機は、前記少なくとも２つの塔体の頂部に揚重機架台を介して撤去可能に設置され、該揚重機に移動可能に取り付けられる吊材により、前記発電機架台を介して前記発電機及び前記翼が揚重されることを特徴とする。
【００１４】
本発明による風力発電設備の構築方法によれば、少なくとも２つの塔体の頂部に設置した揚重機と吊材との協働により、発電機架台を介して発電機及び翼を揚重して、塔体の頂部に設置することができるので、発電機及び翼の設置に大型のクレーンが不要となる。
【００１５】
請求項４に係る発明は、請求項２に記載の風力発電設備の構築方法であって、前記揚重機は、前記地上部に撤去可能に設置され、該揚重機と前記少なくとも２つの塔体の頂部に滑車架台を介して撤去可能に設置される滑車との間に移動可能に掛け渡される吊材により、前記発電機架台を介して前記発電機及び前記翼が揚重されることを特徴とする。
【００１６】
本発明による風力発電設備の構築方法によれば、揚重機と滑車と吊材との協働により、発電機架台を介して発電機及び翼を揚重して、塔体の頂部に設置することができるので、発電機及び翼の設置に大型のクレーンが不要となる。
【発明の効果】
【００１７】
以上、説明したように、本発明の請求項１に記載の風力発電設備によれば、１つの塔体によって発電機及び翼を支持する場合に比べて、１つの塔体当たりの重量を軽くすることができるので、塔体の設置に大型のクレーンが不要になる。また、発電機架台の少なくとも一部は塔体間を通過可能な幅に形成されているので、発電機架台、発電機及び翼を塔体間を揚重して、塔体の頂部に設置することができるので、大型のクレーンが不要となる。
【００１８】
また、本発明の請求項２〜４に記載の風力発電設備の構築方法によれば、少なくとも２つの塔体を設置し、それらの塔体の頂部又は地上部に撤去可能に設置した揚重機により、発電機架台と発電機と翼とを一体として、塔体間を揚重して塔体の頂部に設置することができるので、発電機架台、発電機及び翼の塔体の頂部への設置に大型化クレーンが不要となる。従って、大型クレーンを搬入できないような場所においても、風力発電設備を構築することができので、立地条件に左右されることなく、風力エネルギーが十分に得られる山間部や海岸線等に設置することができる。また、大型クレーンを使用する必要がないので、大型クレーンの使用によって発生する高額の使用料が不要となり、施工費を大幅に削減することができる。
【発明を実施するための最良の形態】
【００１９】
以下、図面に示す本発明の実施の形態について説明する。
図１〜図５には、本発明による風力発電設備の一実施の形態が示されていて、図１は風力発電設備の全体を示す正面図、図２は図１の平面図、図３は図１の側面図、図４は発電機の旋回時の側面図、図５は塔体頂部の拡大図である。
【００２０】
すなわち、この風力発電設備１は、２つの塔体２、２と、両塔体２、２の頂部に設置される発電機架台６と、発電機架台６の上部に旋回可能に搭載される発電機７と、発電機７に取り付けられる複数枚の翼１０とを備えており、発電機架台６、発電機７、及び翼１０は、両塔体２、２の頂部に撤去可能に設置した後述する揚重機１１により揚重されて両塔体２、２の頂部に設置される。
【００２１】
両塔体２、２は、地盤２０の上部にコンクリート製の基盤２１を介して垂直に、かつ水平方向に所定の間隔をおいて設置される。両塔体２、２間の間隔は、発電機架台６及び発電機７の幅よりもやや広く設定され、揚重機１１により発電機架台６及び発電機７を揚重して両塔体２、２の頂部に設置する際に、発電機架台６及び発電機７の通過を許容している。
【００２２】
両塔体２、２の対向面３、３は、全高に亘って互いに平行な平坦面に形成され、この平坦面からなる対向面３、３間を発電機架台６及び発電機７を通過させることにより、揚重機１１の鉛直方向への操作のみで、発電機架台６及び発電機７を両塔体２、２の頂部に揚重し、設置することができる。
【００２３】
各塔体２は、６０〜１００ｍの高さを有する中空筒状をなすものであって、鋼管構造、鉄骨トラス構造、鉄筋コンクリート構造、プレストレストコンクリート構造等の各種の構造からなり、採用する構造に応じた公知の工法によって構築される。
【００２４】
本実施の形態においては、２つの塔体２、２によって発電機架台６、発電機７及び翼１０を支持しているので、１つの塔体によってそれらを支持する場合と比較して、各塔体２の構築の際に使用するクレーン等の揚重機（図示せず）を小型化することができる。
【００２５】
両塔体２、２の頂部には、揚重機１１によって揚重された発電機７が発電機架台６を介して取り付けられる。発電機架台６は、板状をなすものであって、図５に示すように、各塔体２の相手方との対向面に設置したブラケット４、５により両塔体２、２間に固定され、この発電機架台６の上部に発電機７が旋回自在に搭載される。本実施の形態においては、発電機架台６の下面を係止させる下ブラケット５と、発電機架台６の上部側面を係止させる上ブラケット４とにより、発電機架台６を両塔体２、２の頂部に固定している。
【００２６】
発電機７は、流線形状のケーシング８の内部に増速機等の付帯設備と一緒に収容されており、このケーシング８の先端部に配置されるロータヘッド９に複数枚（本実施の形態においては３枚）の翼１０が取り付けられる。本実施の形態においては、発電機７（重量：４０〜５０ｔ）、ロータヘッド９（重量：１９〜２０ｔ）、翼１０（重量：７〜８ｔ／枚）のものを使用している。
【００２７】
そして、上記のような構成の風力発電設備１の翼１０を風のエネルギーを利用して回転させることにより、ケーシング８内の増速機等を介して発電機７が駆動され、発電機７を介して電気エネルギーが得られることになる。
【００２８】
次に、本発明による風力発電設備の構築方法について説明する。
図６〜図１７には、本発明による風力発電設備の構築方法の第１の実施の形態が示されていて、この風力発電設備の構築方法は、塔体設置工程と、揚重機設置工程と、発電機組立工程と、第１揚重工程と、第２揚重工程と、発電機架台取付け工程と、揚重機撤去工程の７つの作業工程を備えている。
【００２９】
塔体設置工程は、風力発電設備の設置箇所の地盤上に塔体を設置する工程であって、図６及び図７に示すように、地盤２０の上部にコンクリート製の基盤２１を介して２つの塔体２、２を垂直に、かつ水平方向に所定の間隔をおいて設置する。
【００３０】
各塔体２は、６０〜１００ｍの高さを有する中空筒状をなすものであって、鋼管構造、鉄骨トラス構造、鉄筋コンクリート構造、プレストレストコンクリート構造等の各種の構造とすることができ、採用する構造に応じた公知の工法（スリップフォーム工法等）により構築する。
【００３１】
両塔体２、２間の間隔は、発電機架台６及び発電機７の幅よりもやや広く設定する。また、各塔体２の相手方との対向面３は、両塔体２、２の全高に亘って互いに平行となる平坦面にそれぞれ形成する。
【００３２】
揚重機設置工程は、図８、図９、及び図１８〜図２０に示すように、塔体設置工程において設置した２つの塔体２、２の各々の頂部にそれぞれ一対の揚重機架台１５、１５を設置し、各揚重機架台１５に揚重機１１をそれぞれ取り付ける。各揚重機架台１５は、各種の鋼材（本実施の形態では２つの溝形鋼）から形成され、先端部が相手方塔体２の方向に所定の長さ突出するように、各塔体２の上端面に適宜の手段（アンカー等）により固定され、この先端部に揚重機１１がそれぞれ取り付けられる。
【００３３】
揚重機１１としては、例えば、吊材にＰＣ鋼より線を用いたシングルストランドジャッキ等が有効である。シングルストランドジャッキは、大掛かりな設備を必要とすることなく、細かい制御が可能な揚重機１１であって、油圧センターホールジャッキ（オックスジャッキ（株））等が挙げられる。
【００３４】
揚重機１１は、各塔体２の各揚重機架台１５の先端部に、吊材１２の移動方向が鉛直方向となるように、それぞれ１つずつ取り付けられ、両塔体２、２全体で４つの揚重機１１が取り付けられる。４つの揚重機１１は、配管（図示せず）を介して油圧制御システム（図示せず）に接続され、この油圧制御システムにより各揚重機１１に供給される油圧が制御される。
【００３５】
発電機組立工程は、図８及び図９に示すように、発電機架台６の上部に発電機７を搭載し、発電機７に例えば２枚の翼１０を取り付ける工程であって、発電機架台６への発電機７の搭載、発電機７への翼１０の取り付けには小型クレーン等の揚重機（図示せず）を使用する。
【００３６】
第１揚重工程は、図１０及び図１１に示すように、両塔体２、２の頂部に取り付けた揚重機１１を使用し、発電機架台６、発電機７及び翼１０を一体として揚重し、両塔体２、２間を鉛直方向の所定の位置まで揚重する。
【００３７】
具体的には、各揚重機１１に取り付けられている吊材１２の下端部を発電機架台６の四隅に固定具（図示せず）を介してそれぞれ取り付け、油圧制御システムの作動により各揚重機１１を駆動させ、各吊材１２を鉛直方向上方に所定のストロークで移動させ、両塔体２、２間を発電機架台６、発電機７及び翼１０を一体として揚重し、鉛直方向の所定の位置に位置決めする。この場合、発電機架台6及び発電機７の一部は両塔体２、２間を通し、翼１０は両塔体２、２の前方又は後方側の空間を通す。そして、その位置において、発電機７に残りの翼１０（例えば１枚）を取り付ける。
【００３８】
第２揚重工程は、図１２〜図１５に示すように、油圧制御システムを作動させて各揚重機１１を駆動させることにより、各吊材１２をさらに鉛直方向上方に所定のストロークで移動させ、発電機架台６、発電機７及び翼１０を一体として両塔体２、２間を揚重し、それらを両塔体２、２の頂部に位置決めする。この場合にも第２揚重工程と同様に、発電機架台6及び発電機７は両塔体２、２間を通し、翼１０は両塔体２、２の前方又は後方側の空間を通す。
【００３９】
発電機架台取付け工程は、図５、図１４、図１５、及び図２１〜図２３に示すように、両塔体２、２の頂部に位置決めした発電機架台６の下面を各塔体２の各対向面３に水平に設けられている下ブラケット５の上面に係止させ、発電機架台６の側面を各対向面３に垂直に設けられている上ブラケット４の側面に係止させることにより、発電機架台６を両塔体２、２の頂部に固定する。
【００４０】
この場合、下ブラケット５及び上ブラケット４は、予め各塔体２の各対向面３に設けておいてもよいし、発電機架台６を両塔体２、２の頂部に位置決めした後に、各塔体２の各対向面３に設けるようにしてもよい。
【００４１】
揚重機撤去工程は、図１６及び図１７に示すように、小型クレーン等の揚重機（図示せず）を用い、両塔体２、２の頂部に設置されている揚重機架台１５及び揚重機１１を解体し、撤去する。
【００４２】
このようにして、塔体設置工程、揚重機設置工程、発電機組立工程、第１揚重工程、第２揚重工程、発電機架台取付け工程、及び揚重機撤去工程の７つの作業工程を経ることにより、図１６及び図１７に示すような風力発電設備１を構築することができる。
【００４３】
上記のように構成した本実施の形態による風力発電設備の構築方法にあっては、２つの塔体２、２を所定の間隔をおいて設置して、両塔体２、２の頂部に設置した揚重機１１（シングルストランドジャッキ）を用いて、発電機架台６、発電機７、及び翼１０を両塔体２、２間を揚重して、両塔体２、２の頂部に取り付けるように構成したので、発電機架台６、発電機７及び翼１０の塔体２、２への取付け作業に大型クレーンが不要となる。
【００４４】
従って、大型クレーンの搬入が困難な場所においても、風力発電設備１を構築することが可能となるので、立地条件に左右されることなく、山間部や海岸線等の風力エネルギーが十分に得られる箇所に設置することができる。
【００４５】
さらに、大型クレーンが不要となるので、大型クレーンを使用した場合のように、高額な使用料が不要となり、施工費を大幅に削減することができる。
【００４６】
図２４〜図２７には、本発明による風力発電設備の構築方法の第２の実施の形態が示されていて、この風力発電設備の構築方法は、揚重機１８としてウインチを用い、各塔体２の外側の基盤２１の上部にそれぞれ一対のウインチ１８を設置し、各塔体２の上端面の両端部にそれぞれ滑車架台１６を設置し、各滑車架台１６の上部の長手方向の両端部にそれぞれ滑車１７、１７を回転自在に取り付け、ウインチ１８から繰り出した吊材１２を上方に繰り出し、各塔体２の各滑車架台１６の上部の一対の滑車１７、１７を介して下方に繰り出し、各吊材１２の先端部を発電機架台６の四隅にそれぞれ連結したものであって、その他の構成は前記第１の実施の形態に示すものと同様である。なお、図２４〜図２７には、第１揚重工程が示されている。
【００４７】
そして、各ウインチ１８を作動させて、各吊材１２を各ウインチ１８に巻き上げることにより、発電機架台６、発電機７及び翼１０が両塔体２、２間を鉛直方向上方に揚重されて、両塔体２、２の頂部に位置決めされ、発電機架台６をブラケット４、５により両塔体２、２の頂部に固定することにより、発電機架台６、発電機７及び翼１０を両塔体２、２の頂部に取り付けることができ、風力発電設備１を構築することができる。
【００４８】
上記のように構成した本実施の形態による風力発電設備の構築方法にあっても、前記第１の実施の形態に示すものと同様に、２つの塔体２、２を所定の間隔をおいて設置して、地上部に設置した揚重機１８（ウインチ）を用いて、発電機架台６、発電機７、及び翼１０を両塔体２、２間を揚重して、両塔体２、２の頂部に取り付けるように構成したので、発電機架台６、発電機７及び翼１０の塔体２、２への取付け作業に大型クレーンが不要となる。
【００４９】
従って、大型クレーンの搬入が困難な場所においても、風力発電設備１を構築することが可能となるので、立地条件に左右されることなく、山間部や海岸線等の風力エネルギーが十分に得られる箇所に設置することができる。
【００５０】
なお、前記の説明においては、揚重機１１、１８としてシングルストランドジャッキ、ウインチを使用したが、これらに限らず、同様の機能を有する揚重機であれば使用することができる。また、前記の説明においては、２つの塔体２、２を設置して、両塔体２、２の頂部に発電機架台６を介して発電機７及び翼１０を取り付けるように構成したが、３つ以上の塔体を設置して、それらの塔体の頂部の発電機架台を介して発電機及び翼を取り付けるように構成してもよい。
【図面の簡単な説明】
【００５１】
【図１】本発明による風力発電設備の一実施の形態の全体を示した正面図である。
【図２】図１の平面図である。
【図３】図１の側面図である。
【図４】発電機の旋回状態を示した正面図である。
【図５】塔体の頂部の部分拡大図である。
【図６】本発明による風力発電設備の構築方法の第１実施を示した説明図であって、塔体設置工程の正面図である。
【図７】図６の側面図である。
【図８】揚重機設置工程及び発電機組立工程の正面図である。
【図９】図８の塔体間の側面図である。
【図１０】第１揚重工程の正面図である。
【図１１】図１０の塔体間の側面図である。
【図１２】第２揚重工程の途中の段階を示した正面図である。
【図１３】図１２の塔体間の側面図である。
【図１４】第２揚重工程の最終段階及び発電機架台取付け工程を示した正面図である。
【図１５】図１４の塔体間の側面図である。
【図１６】揚重機撤去工程の正面図である。
【図１７】図１６の塔体間の側面図である。
【図１８】図８及び図９の塔体の頂部を示した部分拡大正面図である。
【図１９】図１８の平面図である。
【図２０】図１８の塔体間の側面図である。
【図２１】図１４及び図１５の塔体の頂部を示した部分拡大正面図である。
【図２２】図２１の平面図である。
【図２３】図２１の塔体間の側面図である。
【図２４】本発明による風力発電設備の構築方法の第２実施を示した説明図であって、第１揚重工程の正面図である。
【図２５】図２４のＡ部の拡大正面図である。
【図２６】図２５の平面図である。
【図２７】図２５の塔体間の側面図である。
【符号の説明】
【００５２】
１    風力発電設備
２    塔体
３    対向面
４    上ブラケット
５    下ブラケット
６    発電機架台
７    発電機
８    ケーシング
９    ロータヘッド
１０  翼
１１、１８  揚重機
１２  吊り材
１５  揚重機架台
１６  滑車架台
１７  滑車
２０  地盤
２１  基盤
【図１】
2006299956.tif 000003
【図２】
2006299956.tif 000004
【図３】
2006299956.tif 000005
【図４】
2006299956.tif 000006
【図５】
2006299956.tif 000007
【図６】
2006299956.tif 000008
【図７】
2006299956.tif 000009
【図８】
2006299956.tif 000010
【図９】
2006299956.tif 000011
【図１０】
2006299956.tif 000012
【図１１】
2006299956.tif 000013
【図１２】
2006299956.tif 000014
【図１３】
2006299956.tif 000015
【図１４】
2006299956.tif 000016
【図１５】
2006299956.tif 000017
【図１６】
2006299956.tif 000018
【図１７】
2006299956.tif 000019
【図１８】
2006299956.tif 000020
【図１９】
2006299956.tif 000021
【図２０】
2006299956.tif 000022
【図２１】
2006299956.tif 000023
【図２２】
2006299956.tif 000024
【図２３】
2006299956.tif 000025
【図２４】
2006299956.tif 000026
【図２５】
2006299956.tif 000027
【図２６】
2006299956.tif 000028
【図２７】
2006299956.tif 000029